【手続補正書】
【提出日】平成18年5月12日(2006.5.12)
【手続補正１】
【補正対象書類名】明細書
【補正対象項目名】発明の名称
【補正方法】変更
【補正の内容】
【発明の名称】情報入力装置および方法、情報出力装置および方法、並びに記録媒体
【手続補正２】
【補正対象書類名】明細書
【補正対象項目名】特許請求の範囲
【補正方法】変更
【補正の内容】
【特許請求の範囲】
【請求項１】
入力されたストリームからプログラムクロックリファランスとトランスポートパケットを抽出する抽出手段と、
前記抽出手段により抽出された前記プログラムクロックリファランスに同期したクロックを生成するクロック生成手段と、
前記クロック生成手段により生成されたクロックに同期して、入力されたタイミングに対応したタイムスタンプを生成するタイムスタンプ生成手段と、
前記タイムスタンプの連続性を判別できる情報を発生する発生手段と
を含むことを特徴とする情報入力装置。
【請求項２】
前記タイムスタンプ生成手段により生成されたタイムスタンプと、前記発生手段により発生された情報を、前記抽出手段により抽出されたトランスポートパケットに付加する付加手段
を更に含むことを特徴とする請求項１に記載の情報入力装置。
【請求項３】
前記タイムスタンプ生成手段により生成されたタイムスタンプと、前記発生手段により発生された情報を、再生管理ファイルに記録させるファイル記録手段
を更に含むことを特徴とする請求項１に記載の情報入力装置。
【請求項４】
入力されたストリームからプログラムクロックリファランスとトランスポートパケットを抽出する抽出ステップと、
前記抽出ステップで抽出された前記プログラムクロックリファランスに同期したクロックを生成するクロック生成ステップと、
前記クロック生成ステップで生成されたクロックに同期して、入力されたタイミングに対応したタイムスタンプを生成するタイムスタンプ生成ステップと、
前記タイムスタンプの連続性を判別できる情報を発生する発生ステップと
を含むことを特徴とする情報入力方法。
【請求項５】
入力されたストリームからプログラムクロックリファランスとトランスポートパケットを抽出する抽出ステップと、
前記抽出ステップで抽出された前記プログラムクロックリファランスに同期したクロックを生成するクロック生成ステップと、
前記クロック生成ステップで生成されたクロックに同期して、入力されたタイミングに対応したタイムスタンプを生成するタイムスタンプ生成ステップと、
前記タイムスタンプの連続性を判別できる情報を発生する発生ステップと
を含む処理を情報入力装置に実行させるコンピュータが読み取り可能なプログラムが記録されていることを特徴とする記録媒体。
【請求項６】
タイムスタンプと、複数のストリームのいずれか１つを選択する選択手段と、
前記選択手段により１つの前記ストリームが選択されたとき、前記タイムスタンプの連続性を判別できる情報を書き換える書き換え手段と
を含むことを特徴とする情報出力装置。
【請求項７】
タイムスタンプと、複数のストリームのいずれか１つを選択する選択ステップと、
前記選択ステップで１つの前記ストリームが選択されたとき、前記タイムスタンプの連続性を判別できる情報を書き換える書き換えステップと
を含むことを特徴とする情報出力方法。
【請求項８】
タイムスタンプと、複数のストリームのいずれか１つを選択する選択ステップと、
前記選択ステップで１つの前記ストリームが選択されたとき、前記タイムスタンプの連続性を判別できる情報を書き換える書き換えステップと
を含む処理を情報出力装置に実行させるコンピュータが読み取り可能なプログラムが記録されていることを特徴とする記録媒体。
【請求項９】
タイムスタンプの連続性を判別できる情報、タイムスタンプ、およびトランスポートパケットを分離する分離手段と、
タイミング信号を発生する発生手段と、
前記発生手段が発生したタイミング信号と、前記分離手段により分離された前記タイムスタンプを比較する比較手段と、
前記比較手段の比較結果に対応して、前記分離手段により分離された前記トランスポートパケットの出力を制御する出力制御手段と、
前記タイムスタンプの連続性を判別できる情報、および前記タイムスタンプに基づいて、前記発生手段が発生するタイミング信号を制御するタイミング制御手段と
を含むことを特徴とする情報出力装置。
【請求項１０】
前記分離手段は、入力されたストリームから前記タイムスタンプの連続性を判別できる情報を分離する
ことを特徴とする請求項９に記載の情報出力装置。
【請求項１１】
前記分離手段は、再生管理ファイルから前記タイムスタンプの連続性を判別できる情報を分離する
ことを特徴とする請求項９に記載の情報出力装置。
【請求項１２】
前記発生手段は、前記分離されたタイムスタンプの所定の値を初期値として前記タイミング信号を発生する
ことを特徴とする請求項９に記載の情報出力装置。
【請求項１３】
前記発生手段は、前記分離されたタイムスタンプの連続性を判別できる情報に基づいてストリームのタイムスタンプが連続ではないと判別された場合には、前記タイミング信号を初期化する
ことを特徴とする請求項９に記載の情報出力装置。
【請求項１４】
タイムスタンプの連続性を判別できる情報、タイムスタンプ、およびトランスポートパケットを分離する分離ステップと、
タイミング信号を発生する発生ステップと、
前記発生ステップで発生されたタイミング信号と、前記分離ステップで分離された前記タイムスタンプを比較する比較ステップと、
前記比較ステップでの比較結果に対応して、前記分離ステップで分離された前記トランスポートパケットの出力を制御する出力制御ステップと、
前記タイムスタンプの連続性を判別できる情報、および前記タイムスタンプに基づいて、前記発生ステップで発生されたタイミング信号を制御するタイミング制御ステップと
を含むことを特徴とする情報出力方法。
【請求項１５】
タイムスタンプの連続性を判別できる情報、タイムスタンプ、およびトランスポートパケットを分離する分離ステップと、
タイミング信号を発生する発生ステップと、
前記発生ステップで発生されたタイミング信号と、前記分離ステップで分離された前記タイムスタンプを比較する比較ステップと、
前記比較ステップでの比較結果に対応して、前記分離ステップで分離された前記トランスポートパケットの出力を制御する出力制御ステップと、
前記タイムスタンプの連続性を判別できる情報、および前記タイムスタンプに基づいて、前記発生ステップで発生されたタイミング信号を制御するタイミング制御ステップと
を含む処理を情報出力装置に実行させるコンピュータが読み取り可能なプログラムが記録されていることを特徴とする記録媒体。
【手続補正３】
【補正対象書類名】明細書
【補正対象項目名】０００１
【補正方法】変更
【補正の内容】
【０００１】
【発明の属する技術分野】
本発明は、情報入力装置および方法、情報出力装置および方法、並びに記録媒体に関し、特に、複数のストリームを確実に連続して再生することができるようにした情報入力装置および方法、情報出力装置および方法、並びに記録媒体に関する。
【手続補正４】
【補正対象書類名】明細書
【補正対象項目名】００１７
【補正方法】変更
【補正の内容】
【００１７】
【課題を解決するための手段】
請求項１に記載の情報入力装置は、入力されたストリームからプログラムクロックリファランスとトランスポートパケットを抽出する抽出手段と、抽出手段により抽出されたプログラムクロックリファランスに同期したクロックを生成するクロック生成手段と、クロック生成手段により生成されたクロックに同期して、入力されたタイミングに対応したタイムスタンプを生成するタイムスタンプ生成手段と、タイムスタンプの連続性を判別できる情報を発生する発生手段とを含むことを特徴とする。
【手続補正５】
【補正対象書類名】明細書
【補正対象項目名】００１８
【補正方法】変更
【補正の内容】
【００１８】
請求項４に記載の情報入力方法は、入力されたストリームからプログラムクロックリファランスとトランスポートパケットを抽出する抽出ステップと、抽出ステップで抽出されたプログラムクロックリファランスに同期したクロックを生成するクロック生成ステップと、クロック生成ステップで生成されたクロックに同期して、入力されたタイミングに対応したタイムスタンプを生成するタイムスタンプ生成ステップと、タイムスタンプの連続性を判別できる情報を発生する発生ステップとを含むことを特徴とする。
【手続補正６】
【補正対象書類名】明細書
【補正対象項目名】００１９
【補正方法】変更
【補正の内容】
【００１９】
請求項５に記載の記録媒体は、入力されたストリームからプログラムクロックリファランスとトランスポートパケットを抽出する抽出ステップと、抽出ステップで抽出されたプログラムクロックリファランスに同期したクロックを生成するクロック生成ステップと、クロック生成ステップで生成されたクロックに同期して、入力されたタイミングに対応したタイムスタンプを生成するタイムスタンプ生成ステップと、タイムスタンプの連続性を判別できる情報を発生する発生ステップとを含む処理を情報入力装置に実行させるコンピュータが読み取り可能なプログラムが記録されていることを特徴とする。
【手続補正７】
【補正対象書類名】明細書
【補正対象項目名】００２０
【補正方法】変更
【補正の内容】
【００２０】
請求項６に記載の情報出力装置は、タイムスタンプと、複数のストリームのいずれか１つを選択する選択手段と、選択手段により１つのストリームが選択されたとき、タイムスタンプの連続性を判別できる情報を書き換える書き換え手段とを含むことを特徴とする。
【手続補正８】
【補正対象書類名】明細書
【補正対象項目名】００２１
【補正方法】変更
【補正の内容】
【００２１】
請求項７に記載の情報出力方法は、タイムスタンプと、複数のストリームのいずれか１つを選択する選択ステップと、選択ステップで１つのストリームが選択されたとき、タイムスタンプの連続性を判別できる情報を書き換える書き換えステップとを含むことを特徴とする。
【手続補正９】
【補正対象書類名】明細書
【補正対象項目名】００２２
【補正方法】変更
【補正の内容】
【００２２】
請求項８に記載の記録媒体は、タイムスタンプと、複数のストリームのいずれか１つを選択する選択ステップと、選択ステップで１つのストリームが選択されたとき、タイムスタンプの連続性を判別できる情報を書き換える書き換えステップとを含む処理を情報出力装置に実行させるコンピュータが読み取り可能なプログラムが記録されていることを特徴とする。
【手続補正１０】
【補正対象書類名】明細書
【補正対象項目名】００２３
【補正方法】変更
【補正の内容】
【００２３】
請求項９に記載の情報出力装置は、タイムスタンプの連続性を判別できる情報、タイムスタンプ、およびトランスポートパケットを分離する分離手段と、タイミング信号を発生する発生手段と、発生手段が発生したタイミング信号と、分離手段により分離されたタイムスタンプを比較する比較手段と、比較手段の比較結果に対応して、分離手段により分離されたトランスポートパケットの出力を制御する出力制御手段と、タイムスタンプの連続性を判別できる情報、およびタイムスタンプに基づいて、発生手段が発生するタイミング信号を制御するタイミング制御手段とを含むことを特徴とする。
【手続補正１１】
【補正対象書類名】明細書
【補正対象項目名】００２４
【補正方法】変更
【補正の内容】
【００２４】
請求項１４に記載の情報出力方法は、タイムスタンプの連続性を判別できる情報、タイムスタンプ、およびトランスポートパケットを分離する分離ステップと、タイミング信号を発生する発生ステップと、発生ステップで発生されたタイミング信号と、分離ステップで分離されたタイムスタンプを比較する比較ステップと、比較ステップでの比較結果に対応して、分離ステップで分離されたトランスポートパケットの出力を制御する出力制御ステップと、タイムスタンプの連続性を判別できる情報、およびタイムスタンプに基づいて、発生ステップで発生されたタイミング信号を制御するタイミング制御ステップとを含むことを特徴とする。
【手続補正１２】
【補正対象書類名】明細書
【補正対象項目名】００２５
【補正方法】変更
【補正の内容】
【００２５】
請求項１５に記載の記録媒体は、タイムスタンプの連続性を判別できる情報、タイムスタンプ、およびトランスポートパケットを分離する分離ステップと、タイミング信号を発生する発生ステップと、発生ステップで発生されたタイミング信号と、分離ステップで分離されたタイムスタンプを比較する比較ステップと、比較ステップでの比較結果に対応して、分離ステップで分離されたトランスポートパケットの出力を制御する出力制御ステップと、タイムスタンプの連続性を判別できる情報、およびタイムスタンプに基づいて、発生ステップで発生されたタイミング信号を制御するタイミング制御ステップとを含む処理を情報出力装置に実行させるコンピュータが読み取り可能なプログラムが記録されていることを特徴とする。
【手続補正１３】
【補正対象書類名】明細書
【補正対象項目名】００２６
【補正方法】変更
【補正の内容】
【００２６】
請求項１に記載の情報入力装置、請求項４に記載の情報入力方法、および請求項５に記載の記録媒体においては、入力されたストリームからプログラムクロックリファランスとトランスポートパケットが抽出され、抽出されたプログラムクロックリファランスに同期したクロックが生成され、生成されたクロックに同期して、入力されたタイミングに対応したタイムスタンプが生成され、タイムスタンプの連続性を判別できる情報が発生される。
【手続補正１４】
【補正対象書類名】明細書
【補正対象項目名】００２７
【補正方法】変更
【補正の内容】
【００２７】
請求項６に記載の情報出力装置、請求項７に記載の情報出力方法、および請求項８に記載の記録媒体においては、タイムスタンプと、複数のストリームのいずれか１つが選択され、１つのストリームが選択されたとき、タイムスタンプの連続性を判別できる情報が書き換えられる。
【手続補正１５】
【補正対象書類名】明細書
【補正対象項目名】００２８
【補正方法】変更
【補正の内容】
【００２８】
請求項９に記載の情報出力装置、請求項１４に記載の情報出力方法、および請求項１５に記載の記録媒体においては、タイムスタンプ、タイムスタンプの連続性を判別できる情報、およびトランスポートパケットが分離され、タイミング信号と、タイムスタンプの比較結果に対応して、トランスポートパケットの出力が制御され、タイムスタンプの連続性を判別できる情報とタイムスタンプに基づいて、タイミング信号が制御される。
【手続補正１６】
【補正対象書類名】明細書
【補正対象項目名】００５８
【補正方法】変更
【補正の内容】
【００５８】
【発明の効果】
以上の如く、請求項１に記載の情報入力装置、請求項４に記載の情報入力方法、および請求項５に記載の記録媒体によれば、入力されたストリームからプログラムクロックリファランスとトランスポートパケットが抽出され、抽出されたプログラムクロックリファランスに同期したクロックが生成され、生成されたクロックに同期して、入力されたタイミングに対応したタイムスタンプが生成され、タイムスタンプの連続性を判別できる情報が発生されるようにしたので、タイムスタンプが不連続であったとしても、連続して再生が可能なストリームを提供することが可能となる。
【手続補正１７】
【補正対象書類名】明細書
【補正対象項目名】００５９
【補正方法】変更
【補正の内容】
【００５９】
請求項６に記載の情報出力装置、請求項７に記載の情報出力方法、および請求項８に記載の記録媒体によれば、タイムスタンプと、複数のストリームのいずれか１つが選択され、１つのストリームが選択されたとき、タイムスタンプの連続性を判別できる情報が書き換えられるようにしたので、タイムスタンプが不連続であったとしても、連続して再生が可能なストリームを提供することが可能となる。
【手続補正１８】
【補正対象書類名】明細書
【補正対象項目名】００６０
【補正方法】変更
【補正の内容】
【００６０】
請求項９に記載の情報出力装置、請求項１４に記載の情報出力方法、および請求項１５に記載の記録媒体によれば、タイムスタンプ、タイムスタンプの連続性を判別できる情報、およびトランスポートパケットが分離され、タイミング信号と、タイムスタンプの比較結果に対応して、トランスポートパケットの出力が制御され、タイムスタンプの連続性を判別できる情報とタイムスタンプに基づいて、タイミング信号が制御されるようにしたので、タイムスタンプが不連続であったとしても、連続して再生が可能なストリームを提供することが可能となる。